(57)【要約】【課題】表示部の表示完了後に操作キーの押下を受け付ける従来の装置では、表示が完了するまで入力が受け付けられず、ユーザに待ち時間が発生するという問題があった。【解決手段】ＣＰＵ３１は、設定された通電範囲に通電を開始し（Ｓ２０９）、通電範囲に対応する画像形成部１０、ＦＡＸインターフェース３７及び画像読取部４０に通電を開始する（Ｓ２１０）そして、表示部３６に通電を開始し（Ｓ２１１）、第１復帰処理を終了する。この構成によれば、表示部３６による表示が完了するまで操作キー３５ｂからの入力が受け付けられないために発生するユーザの待ち時間を低減することができる。【選択図】            図４
2013207629.tif 000002
【特許請求の範囲】
【請求項１】
表示部と、
ユーザが入力を行う第１入力部と、
少なくとも前記第１入力部による入力を受け付ける受付部と、
前記受付部が受け付けた入力内容に基づき画像処理を行う画像処理部と、
前記第１入力部の一部による入力を受け付けることができる省電力状態から前記画像処理の実行のために待機する待機状態へ自装置の状態を切り替える切替部と、
前記省電力状態から前記待機状態に切り替わる際、前記入力内容に応じて前記表示部に電力の供給を開始する前に、前記省電力状態のときに電力の供給を受けている前記第１入力部の一部よりも前記第１入力部の広い範囲への電力の供給を開始する第１電力供給制御をする制御部とを備えることを特徴とする画像処理装置。
【請求項２】
ユーザへの通知事項があるか否かを判断する通知判断部を備え、
前記制御部は、前記通知事項がある場合、前記第１入力部の広い範囲への電力の供給の開始より前に前記表示部に電力の供給を開始することを特徴とする請求項１に記載の画像処理装置。
【請求項３】
前記画像処理には複数の処理機能があり、
前記入力内容に関する処理機能と前記通知事項に関する処理機能とが同一か否かを判断する機能判断部を備え、
前記制御部は、前記入力内容に関する処理機能と前記通知事項に関する処理機能とが異なると前記機能判断部が判断した場合、前記第１電力供給制御をすることを特徴とする請求項２に記載の画像処理装置。
【請求項４】
前記入力内容に関する処理機能とユーザ確認が必要な種類の処理機能とが同一であるか否かを判断する機能種類判断部を備え、
前記制御部は、前記入力内容に関する処理機能と前記ユーザ確認が必要な種類の処理機能とが同一であると前記機能種類判断部が判断する場合、前記第１入力部の広い範囲への電力の供給の開始より前に前記表示部に電力の供給を開始することを特徴とする請求項１〜３のいずれかに記載の画像処理装置。
【請求項５】
外部記憶装置を接続する接続部と、
前記外部記憶装置が接続されたことを検出する検出部とを備え、
前記受付部は、前記外部記憶装置の検出を受け付け、
前記制御部は、前記外部記憶装置の検出を前記受付部が受け付けた場合、前記第１入力部の広い範囲への電力の供給の開始より前に前記表示部に電力の供給を開始することを特徴とする請求項１〜４のいずれかに記載の画像処理装置。
【請求項６】
前記表示部と前記第１入力部とに電力の供給を指示する指示部と、
前記画像処理を実行するための実行条件が予め登録されている登録部とを備え、
前記制御部は、前記指示部による電力の供給の指示があり、かつ、前記第１入力部と前記登録部に登録された実行条件とが関連付けられている場合、前記第１電力供給制御をすることを特徴とする請求項１〜５のいずれかに記載の画像処理装置。
【請求項７】
表示部と、
ユーザが入力を行う第１入力部と、
少なくとも前記第１入力部による入力を受け付ける受付部と、
前記受付部が受け付けた入力内容に基づき画像処理を行う画像処理部と、
前記第１入力部の一部による入力を受け付けることができる省電力状態から前記画像処理の実行のために待機する待機状態へ切り替える切替部と、
前記省電力状態から前記待機状態に切り替わる際、前記入力内容に応じて前記表示部に電力の供給を開始する前に、前記画像処理部への電力の供給を開始する第２電力供給制御をする制御部とを備えることを特徴とする画像処理装置。
【請求項８】
ユーザへの通知事項があるか否かを判断する通知判断部を備え、
前記制御部は、前記通知事項がある場合、前記画像処理部への電力の供給を開始する前に前記表示部に電力の供給を開始することを特徴とする請求項７に記載の画像処理装置。
【請求項９】
前記画像処理には複数の処理機能があり、
前記入力内容に関する処理機能と前記通知事項に関する処理機能とが同一か否かを判断する機能判断部を備え、
前記制御部は、前記入力内容に関する処理機能と前記通知事項に関する処理機能とが異なると前記機能判断部が判断した場合、前記第２電力供給制御をすることを特徴とする請求項８に記載の画像処理装置。
【請求項１０】
前記入力内容に関する処理機能とユーザ確認が必要な種類の処理機能とが同一であるか否かを判断する機能種類判断部を備え、
前記制御部は、前記入力内容に関する処理機能と前記ユーザ確認が必要な種類の処理機能とが同一であると前記機能種類判断部が判断する場合、前記画像処理部への電力の供給を開始するより前に前記表示部に電力の供給を開始することを特徴とする請求項７〜９のいずれかに記載の画像処理装置。
【請求項１１】
外部記憶装置を接続する接続部と、
前記外部記憶装置が接続されたことを検出する検出部とを備え、
前記受付部は、前記外部記憶装置の検出を受け付け、
前記制御部は、前記外部記憶装置の検出を前記受付部が受け付けた場合、前記画像処理部への電力の供給を開始するより前に前記表示部に電力の供給を開始することを特徴とする請求項７〜１０のいずれかに記載の画像処理装置。
【請求項１２】
前記表示部と前記第１入力部とに電力の供給を指示する指示部と、
前記画像処理を実行するための実行条件が予め登録されている登録部とを備え、
前記制御部は、前記指示部による電力の供給の指示があり、かつ、前記第１入力部と前記登録部に登録された実行条件とが関連付けられている場合、前記第２電力供給制御をすることを特徴とする請求項７〜１１のいずれかに記載の画像処理装置。
【請求項１３】
前記省電力状態には、第１省電力状態と、前記第１省電力状態より省電力の能力が高い第２省電力状態とがあり、
前記入力部は複数のキーから構成され、
前記第１省電力状態から前記待機状態に切り替わるか、前記第２省電力状態から前記待機状態に切り替わるかに応じて、前記複数のキーのうち通電を開始する前記キーを変更する変更部を備えることを特徴とする請求項１〜１２に記載の画像形成装置。
【請求項１４】
前記画像処理部が処理するデータを記憶する記憶部を備え、
前記通知事項は、前記データに関する事項であることを特徴とする請求項２又は請求項８に記載の画像処理装置。
【請求項１５】
電気通信回線を介してデータを送信する送信部を備え、
前記ユーザ確認が必要な種類の処理機能は、前記送信部が送信するデータに関する処理機能であることを特徴とする請求項４又は請求項１１に記載の画像処理装置。
【請求項１６】
前記表示部の表面に設けられる第２入力部を備えることを特徴とする請求項１〜１５のいずれかに記載の画像処理装置。
【発明の詳細な説明】
【技術分野】
【０００１】
本発明は、画像処理に必要な情報を表示部に表示し、複数のキーから構成される入力部からユーザによる操作を受け付けることにより、画像処理を実行する画像処理装置に関するものである。
【背景技術】
【０００２】
従来、表示部とテンキーやスタートキーなどの操作キーとを備える画像処理装置が知られている。このような画像処理装置では、ユーザは表示部を参照しながらキーを押下することにより、目的の機能や条件を適宜設定することができる（例えば、特許文献１参照）。
【先行技術文献】
【特許文献】
【０００３】
【特許文献１】特開２００１−２４６８１９号公報
【発明の概要】
【発明が解決しようとする課題】
【０００４】
しかしながら、省電力状態から待機状態に切り替わる際、表示部に表示するデータを収集するために表示が完了するまでに時間がかかる。このため、表示部の表示完了後に操作キーの押下を受け付ける従来の装置では、表示が完了するまで入力が受け付けられず、ユーザに待ち時間が発生するという問題があった。
【０００５】
そこで、表示が完了するまで入力が受け付けられないために発生するユーザの待ち時間を低減することができる画像処理装置を提供することを目的とする。
【課題を解決するための手段】
【０００６】
この課題の解決を目的としてなされた画像処理装置は、表示部と、ユーザが入力を行う第１入力部と、少なくとも第１入力部による入力を受け付ける受付部と、受付部が受け付けた入力内容に基づき画像処理を行う画像処理部と、第１入力部の一部による入力を受け付けることができる省電力状態から画像処理の実行のために待機する待機状態へ自装置の状態を切り替える切替部と、省電力状態から待機状態に切り替わる際、入力内容に応じて表示部に電力の供給を開始する前に、省電力状態のときに電力の供給を受けている第１入力部の一部よりも第１入力部の広い範囲への電力の供給を開始する第１電力供給制御をする制御部とを備えることを特徴とする。
【０００７】
表示部の表示が完了する前に、省電力状態のときには第１入力部のうち入力ができなかった部分に通電される。そして、第１入力部の通電された当該部分から入力ができるようになる。この構成によれば、表示が完了するまで入力が受け付けられないために発生するユーザの待ち時間を低減することができる。
【０００８】
また、ユーザへの通知事項があるか否かを判断する通知判断部を備え、制御部は、通知事項がある場合、第１入力部の広い範囲への電力の供給の開始より前に表示部に電力の供給を開始するようにしてもよい。この構成によれば、ユーザへの通知事項がある場合、省電力状態から待機状態になったときに通知事項を確認できるようにするほうが、ユーザの利便性に資する。
【０００９】
また、画像処理には複数の処理機能があり、入力内容に関する処理機能と通知事項に関する処理機能とが同一か否かを判断する機能判断部を備え、制御部は、入力内容に関する処理機能と通知事項に関する処理機能とが異なると機能判断部が判断した場合、第１電力供給制御をするようにしてもよい。
【００１０】
ユーザへの通知事項に関する処理機能とユーザが使用する処理機能とが異なる場合、装置を使用しているユーザと通知事項とは関係が薄い可能性が高く、ユーザに対して通知事項を通知しないほうが好ましい。この構成によれば、使用しているユーザに対して不要な通知事項を通知することを抑制することができる。
【００１１】
また、入力内容に関する処理機能とユーザ確認が必要な種類の処理機能とが同一であるか否かを判断する機能種類判断部を備え、制御部は、入力内容に関する処理機能とユーザ確認が必要な種類の処理機能とが同一であると機能種類判断部が判断する場合、第１入力部の広い範囲への電力の供給の開始より前に表示部に電力の供給を開始するようにしてもよい。
【００１２】
処理機能によっては、処理機能を実行するために、ユーザに対して多種多様な入力を求めるものがある。当該処理機能においては、表示が完了する前に入力ができることになると、入力した内容がユーザの意図したものと異なる可能性がある。この構成によれば、誤入力した場合でも早い段階で誤入力に気づきやすくなるため、ユーザの利便性に資する。
【００１３】
また、外部記憶装置を接続する接続部と、外部記憶装置が接続されたことを検出する検出部とを備え、受付部は、外部記憶装置の検出を受け付け、制御部は、外部記憶装置の検出を受付部が受け付けた場合、第１入力部の広い範囲への電力の供給の開始より前に表示部に電力の供給を開始するようにしてもよい。外部記憶装置を検出した場合、ユーザは外部記憶装置内にあるデータを画像処理することを望んでいる可能性が高く、外部記憶装置内にあるデータをユーザに対して表示したほうが好ましい。この構成によれば、外部記憶装置内にあるデータをユーザに確認させるために、入力より先に表示させたほうがユーザの利便性に資する。
【００１４】
また、表示部と第１入力部とに電力の供給を指示する指示部と、画像処理を実行するための実行条件が予め登録されている登録部とを備え、制御部は、指示部による電力の供給の指示があり、かつ、第１入力部と登録部に登録された実行条件とが関連付けられている場合、第１電力供給制御をするようにしてもよい。
【００１５】
画像処理を実行するための実行条件が入力部と関連付けられている場合には、ユーザが登録部に登録されている実行条件の入力を望む可能性がある。この構成によれば、画像処理を実行するための実行条件が入力部と関連付けられている場合には、表示部の表示が完了する前に、ユーザが登録部に登録されている実行条件の入力をできるようになり、ユーザの利便性に資する。
【００１６】
また、この課題の解決を目的としてなされた画像処理装置は、表示部と、ユーザが入力を行う第１入力部と、少なくとも第１入力部による入力を受け付ける受付部と、受付部が受け付けた入力内容に基づき画像処理を行う画像処理部と、第１入力部の一部による入力を受け付けることができる省電力状態から画像処理の実行のために待機する待機状態へ切り替える切替部と、省電力状態から待機状態に切り替わる際、入力内容に応じて表示部に電力の供給を開始する前に、画像処理部への電力の供給を開始する第２電力供給制御をする制御部とを備えることを特徴とする。
【００１７】
画像処理部が待機状態になっていなければ、画像処理が実行できないので入力も制限されるが、表示部の表示が完了する前に、画像処理部が待機状態になることが期待できる。これらの構成によれば、表示が完了するまで入力が受け付けられないために発生するユーザの待ち時間を低減することができる。
【００１８】
また、ユーザへの通知事項があるか否かを判断する通知判断部を備え、制御部は、通知事項がある場合、画像処理部への電力の供給を開始する前に表示部に電力の供給を開始するようにしてもよい。この構成によれば、ユーザへの通知事項がある場合、省電力状態から待機状態になったときに通知事項を確認できるようにするほうが、ユーザの利便性に資する。
【００１９】
また、画像処理には複数の処理機能があり、入力内容に関する処理機能と通知事項に関する処理機能とが同一か否かを判断する機能判断部を備え、制御部は、入力内容に関する処理機能と通知事項に関する処理機能とが異なると機能判断部が判断した場合、第２電力供給制御をするようにしてもよい。
【００２０】
ユーザへの通知事項に関する処理機能とユーザが使用する処理機能とが異なる場合、装置を使用しているユーザと通知事項とは関係が薄い可能性が高く、ユーザに対して通知事項を通知しないほうが好ましい。この構成によれば、使用しているユーザに対して不要な通知事項を通知することを抑制することができる。
【００２１】
また、入力内容に関する処理機能とユーザ確認が必要な種類の処理機能とが同一であるか否かを判断する機能種類判断部を備え、制御部は、入力内容に関する処理機能とユーザ確認が必要な種類の処理機能とが同一であると機能種類判断部が判断する場合、画像処理部への電力の供給を開始するより前に表示部に電力の供給を開始するようにしてもよい。
【００２２】
処理機能によっては、処理機能を実行するために、ユーザに対して多種多様な入力を求めるものがある。当該処理機能においては、表示が完了する前に入力ができることになると、入力した内容がユーザの意図したものと異なる可能性がある。この構成によれば、誤入力した場合でも早い段階で誤入力に気づきやすくなるため、ユーザの利便性に資する。
【００２３】
また、外部記憶装置を接続する接続部と、外部記憶装置が接続されたことを検出する検出部とを備え、受付部は、外部記憶装置の検出を受け付け、制御部は、外部記憶装置の検出を受付部が受け付けた場合、画像処理部への電力の供給を開始するより前に表示部に電力の供給を開始するようにしてもよい。
【００２４】
外部記憶装置を検出した場合、ユーザは外部記憶装置内にあるデータを画像処理することを望んでいる可能性が高く、外部記憶装置内にあるデータをユーザに対して表示したほうが好ましい。この構成によれば、外部記憶装置内にあるデータをユーザに確認させるために入力より先に表示させるので、ユーザの利便性に資する。
【００２５】
また、表示部と第１入力部とに電力の供給を指示する指示部と、画像処理を実行するための実行条件が予め登録されている登録部とを備え、制御部は、指示部による電力の供給の指示があり、かつ、第１入力部と登録部に登録された実行条件とが関連付けられている場合、第１電力供給制御をするようにしてもよい。
【００２６】
電力の供給の指示があったときには、ユーザがどの処理機能をしようとしているのかはわからないが、画像処理を実行するための実行条件が入力部と関連付けられている場合には、ユーザが登録部に登録されている実行条件の入力を望む可能性がある。この構成によれば、画像処理を実行するための実行条件が入力部と関連付けられている場合には、表示部の表示が完了する前に、ユーザが登録部に登録されている実行条件の入力をできるようになり、ユーザの利便性に資する。
【００２７】
また、表示部と第１入力部とに電力の供給を指示する指示部と、画像処理を実行するための実行条件が予め登録されている登録部とを備え、制御部は、指示部による電力の供給の指示があり、かつ、第１入力部と登録部に登録された実行条件とが関連付けられている場合、第２電力供給制御をするようにしてもよい。
【００２８】
画像処理を実行するための実行条件が入力部と関連付けられている場合には、ユーザが登録部に登録されている実行条件の入力を望む可能性がある。この構成によれば、画像処理を実行するための実行条件が入力部と関連付けられている場合には、表示部の表示が完了する前に、ユーザが登録部に登録されている実行条件の入力をできるようになり、ユーザの利便性に資する。
【００２９】
また、省電力状態には、第１省電力状態と、第１省電力状態より省電力の能力が高い第２省電力状態とがあり、入力部は複数のキーから構成され、第１省電力状態から待機状態に切り替わるか、第２省電力状態から待機状態に切り替わるかに応じて、複数のキーのうち通電を開始するキーを変更する変更部を備えるようにしてもよい。
【００３０】
この構成によれば、どの省電力状態から待機状態になったかによって、入力部のなかで通電が開始されるキーの設定が変わるので、省電力状態から待機状態になる際に、通電を行う箇所が少なくなり、装置の処理負担を軽減することができる。
【００３１】
また、画像処理部が処理するデータを記憶する記憶部を備え、通知事項は、データに関する事項であってもよい。この構成によれば、画像処理部が処理するデータに関する事項がユーザに通知されるので、画像処理装置を使用するユーザの利便性に資する。
【００３２】
また、電気通信回線を介してデータを送信する送信部を備え、ユーザ確認が必要な種類の処理機能は、送信部が送信するデータに関する処理機能であってもよい。送信部により送信するデータは、送信先に誤りがあると、当該データが漏洩するおそれがある。この構成によれば、送信するデータの漏洩を防止することができる。
【００３３】
また、表示部の表面に設けられる第２入力部を備えてもよい。この構成によれば、第１入力部と異なる第２入力部からもユーザは入力を行うことができ、ユーザの利便性に資する。
【図面の簡単な説明】
【００３４】
【図１】本発明の第１実施形態に係る複合機の電気的構成を示すブロック図である。
【図２】第１実施形態に係る操作部及び表示部の外観態様が各モードに応じて変化する状態を示す模式図である。
【図３】本発明の第１実施形態に係る復帰処理の手順を示すフローチャートである。
【図４】本発明の第１実施形態に係る第1復帰処理の手順を示すフローチャートである。
【図５】本発明の第１実施形態に係るユーザ通知確認処理の手順を示すフローチャートである。
【図６】本発明の第１実施形態に係る通知許否判断処理の手順を示すフローチャートである。
【図７】本発明の第１実施形態に係る通電範囲設定処理の手順を示すフローチャートである。
【図８】本発明の第１実施形態に係る第２復帰処理の手順を示すフローチャートである。
【図９】本発明の第２実施形態に係る第1復帰処理の手順を示すフローチャートである。
【発明を実施するための形態】
【００３５】
［第１実施形態］
以下、本発明の画像処理装置を具体化した第１実施形態について、添付図面を参照しつつ詳細に説明する。
【００３６】
［複合機の構成］
本形態の複合機１（請求項に記載の「画像処理装置」の一例）は、図１に示すように、ＣＰＵ３１と、ＲＯＭ３２と、ＲＡＭ３３と、ＮＶＲＡＭ（Ｎｏｎ  Ｖｏｌａｔｉｌｅ  ＲＡＭ）３４とを備えた制御部３０を備えている。また、制御部３０は、用紙に画像を形成する画像形成部１０と、ユーザによる入力操作の受付を行う操作部３５と、動作状況の表示やユーザによる入力操作の受付を行う表示部３６と、ＦＡＸインターフェース３７と、ネットワークインターフェース３８と、ＵＳＢインターフェース３９と、原稿の画像を読み取る画像読取部４０と、操作部用電力供給部５０と、表示部用電力供給部５１と、画像処理用電源供給部５２とに、電気的に接続されている。
【００３７】
画像形成部１０（請求項に記載の「画像処理部」の一例）は、用紙に画像を印刷することができればよく、画像形成方式については電子写真方式であってもインクジェット方式であってもよい。また、カラー印刷が可能であってもよく、モノクロ印刷専用であってもよい。
【００３８】
ＲＯＭ３２には、複合機１を制御するための制御プログラムであるファームウェアや各種設定、初期値等が記憶されている。ＲＡＭ３３（請求項に記載の「記憶部」の一例）およびＮＶＲＡＭ３４（請求項に記載の「記憶部」、「登録部」の一例）は、各種制御プログラムが読み出される作業領域として、あるいは印刷ジョブを一時的に記憶する記憶領域として利用される。また、ＲＡＭ３３およびＮＶＲＡＭ３４は、後述するユーザ通知フラグ及び通知許可フラグを記憶している。
【００３９】
ＣＰＵ３１（請求項に記載の「受付部」、「切替部」、「制御部」、「通知判断部」、「機能判断部」、「機能種類判断部」、「検出部」）の一例）は、ＲＯＭ３２から読み出した制御プログラムや各種センサから送られる信号に従って、その処理結果をＲＡＭ３３またはＮＶＲＡＭ３４に記憶させながら、複合機１の各構成要素を制御する。
【００４０】
操作部３５は、複合機１に通電させるための電源キー３５ａと、複数の操作キー３５ｂと、ＬＥＤ等の発光素子からなる案内部３５ｃとを備えており、ユーザから各種操作を受け付ける。
【００４１】
電源キー３５ａ（請求項に記載の「指示部」、「第１入力部」の一例）は、メンブレンスイッチ等の有接点スイッチから構成され、オフの状態のときにユーザにより押下されてオン状態になると、複合機１に電源を供給するための命令を送信する。その命令がされると、ＣＰＵ３１は、ＡＣ−ＤＣコンバータにより商用電源からの交流電力を直流電力に変換し、その直流電力を後述する操作部用電力供給部５０、表示部用電力供給部５１及び画像処理用電力供給部５２に供給がなされるように複合機１を制御する。一方、オン状態のときにユーザに押下されてオフ状態になると、複合機１に電源の供給を停止するための命令を送信する。
【００４２】
操作キー３５ｂ（請求項に記載の「第１入力部」の一例）は、静電容量式のタッチセンサとして構成されている。また、操作キー３５ｂは、「０」〜「９」の数字キーと、「＊」キーと、「＃」キーと、「スタート」キーとを備えるように構成されている。また、操作キー３５ｂは、光を透過する半透明部材等で構成されているため、各操作キー３５ｂの背後にはそれぞれ発光素子からなる案内部３５ｃが配置されている。発光素子は操作が受付可能な操作キー３５ｂをユーザに案内するためのものである。発光素子を点灯させることにより、ユーザは操作が受付可能な操作キー３５ｂを把握することができる。
【００４３】
表示部３６（請求項に記載の「表示部」の一例）は、液晶ディスプレイ等の表示装置と、表示装置を駆動するディスプレイ回路と、表示装置の表示領域を覆う透明なタッチパネル（請求項に記載の「第２入力部」の一例）等を備えている。表示部３６は、各種情報を表示すると共に、ユーザから各種操作を受け付ける。操作部３５及び表示部３６の詳細については後述する。
【００４４】
ＦＡＸインターフェース３７（請求項に記載の「送信部」の一例）は、電話回線を介して外部のＦＡＸ装置３と接続されている。また、ＦＡＸインターフェース３７は、制御部３０と協働してＦＡＸ装置３との間で画像データの送受信を行う。
【００４５】
ネットワークインターフェース３８は、パーソナルコンピュータ（以下、ＰＣと記載する）２等の外部装置と通信するためのインターフェースである。例えば、ネットワークインターフェース３８は、制御部３０と協働し、ＬＡＮ（Ｌｏｃａｌ  Ａｒｅａ  Ｎｅｔｗｏｒｋ）を介してＰＣ２と通信するものであってもよい。また、ネットワークインターフェース３８は、ＵＳＢ（Ｕｎｉｖｅｓａｌ  Ｓｅｒｉａｌ  Ｂｕｓ）ケーブルを介してＰＣ２と通信するものであってもよい。
【００４６】
ＵＳＢインターフェース３９（請求項に記載の「接続部」の一例）は、ＵＳＢメモリ等の外部記憶装置との通信を可能にするインターフェースである。また、ＵＳＢインターフェース３９は、制御部３０と協働して、ＵＳＢメモリがＵＳＢインターフェースに接続されたことを検知可能に構成されている。
【００４７】
画像読取部４０（請求項に記載の「画像処理部」の一例）は、原稿が載置される載置台と、載置台に載置される原稿を読み取るイメージセンサとを備えている。また、画像読取部４０は、原稿を給紙する給紙トレイと、給紙トレイに載置される原稿を一枚ずつ搬送する搬送部と、搬送部によって搬送される原稿を読み取るイメージセンサ等を備えている。画像読取部４０は、イメージセンサにより原稿を読み取って画像データを生成する。
【００４８】
操作部用電力供給部５０は、制御部３０と協働して、電源キー３５ａと、操作キー３５ｂと、発光素子からなる案内部３５ｃとの各々に対して、電力を供給している供給状態と電力を供給していない非供給状態とを切り替えることができるように構成されている。また、操作部用電力供給部５０は、操作キー３５ｂの各キーと、各キーに対応する案内部３５ｃとの各々に対して供給状態と非供給状態とを切り替えることができる。
【００４９】
表示部用電力供給部５１は、制御部３０と協働して、表示装置と、ディスプレイ回路と、タッチパネルとの全体に対して、供給状態と非供給状態とを切り替えることができるように構成されている。
【００５０】
画像処理用電力供給部５２は、制御部３０と協働して、画像形成部１０及び画像読取部４０の各々に対して、供給状態と非供給状態とを切り替えることができるように構成されている。
【００５１】
［操作部及び表示部の構成］
図２は操作部３５及び表示部３６の外観態様を示す模式図である。図２には、（１）画像形成等の処理のために待機している状態である待機モード、（２）待機モードより電力の消費が抑えられている第１省電力モード、（３）第１省電力モードよりさらに電力の消費が抑えられている第２省電力モード、に応じて外観態様が変化する操作部３５及び表示部３６が示されている。
【００５２】
また、図２では、操作部３５及び表示部３６のうち供給状態にある部分を実線で示しており、操作の受け付け又は表示が行われている。一方、操作部３５及び表示部３６のうち非供給状態にある部分を点線で示しており、操作の受け付け又は表示が行われていない。
【００５３】
［待機モード］
待機モードについて説明する。待機モードでは、電源キー３５ａ、操作キー３５ｂ及び案内部３５ｃが電力の供給状態にあり、かつ、表示部３６が電力の供給状態にある。また、画像形成部１０及び画像読取部４０の各々も電力の供給状態にある。このため、ユーザが操作部３５を操作すると、ユーザの操作に応じて画像形成部１０及び画像読取部４０のうち少なくとも１つが動作を開始する。
【００５４】
また、表示部３６には、「ＳＣＡＮ」、「ＦＡＸ」及び「ＣＯＰＹ」の各機能を示すアイコンが表示されており、ユーザはいずれかのアイコンに触れることにより、複合機１の機能を使用することができる。また、ＦＡＸインターフェース３７、ネットワークインターフェース３８及びＵＳＢインターフェース３９は、電力の供給状態にある。
【００５５】
［省電力モード］
各省電力モードについて説明する。第１省電力モードでは、電源キー３５ａ、操作キー３５ｂの一部及び案内部３５ｃの一部が電力の供給状態にあり、かつ、表示部３６が電力の非供給状態にある。これにより、待機モード時よりも電力の消費が抑えられている。また、画像形成部１０及び画像読取部４０も電力の非供給状態にある。
【００５６】
一方、ＦＡＸインターフェース３７、ネットワークインターフェース３８及びＵＳＢインターフェース３９は、電力の供給状態にある。このため、ＣＰＵ３１は、第１省電力モード時でも、ＦＡＸデータの受信、印刷データの受信及びＵＳＢメモリの着脱の検出等をすることができる。
【００５７】
また、第２省電力モードでは、操作キー３５ｂ、案内部３５ｃ及び表示部３６のいずれもが電力の非供給状態である。操作キー３５ｂに電力が供給されていない分、第１省電力モードよりも電力の消費が抑えられている。なお、本実施形態では、第２省電力モードであるときは、電源キー３５ａ以外の操作は受け付けられない。また、第１省電力モードと同様に、画像形成部１０及び画像読取部４０も電力の非供給状態にある。また、ＦＡＸインターフェース３７、ネットワークインターフェース３８及びＵＳＢインターフェース３９も、電力の非供給状態にある。このため、第１省電力モードとは異なり、ＦＡＸデータの受信等をすることができない。
【００５８】
［省電力モードから待機モードへの切り替え］
ここで、制御部３０は、第１省電力モードから待機モードに切り替わる際、又は、第２省電力モードから待機モードに切り替わる際に、ＲＯＭ３２にあるプログラムを実行し、表示部３６に表示すべき内容をＲＯＭ３２から読み込む。そして、読み込みを行った内容を表示部３６に表示させる。この際、表示部３６に表示すべき内容の読み込み及び表示部３６の表示を完了するまでに所定時間かかる。
【００５９】
また、従来のように、ユーザが表示部３６の表示を参照しながらキー押下し、目的の機能や条件を適宜設定することができる構成においては、ユーザは表示部３６の表示が完了するまでは、ユーザが表示部３６の表示を参照しながらキー押下することができない。すなわち、表示が完了するまで入力が受け付けられない。
【００６０】
そこで、第１省電力モード及び第２省電力モードの一方から待機モードに切り替わる際に、電源キー３５ａ又は操作キー３５ｂの各キーから入力を受け付けたか否かに応じて、電力が供給される操作部３５の範囲を広げている。より詳細には、表示部３６への電力の供給を開始する前に、電力が供給される操作部３５の範囲を、第１省電力モード及び第２省電力モードのときに電力の供給を受けていない操作キー３５ｂ及び案内部３５ｃにまで広げて電力の供給を開始する。これにより、表示部３６が表示を完了する前に、案内部３５ｃにより入力が可能な操作キー３５ｂをユーザが把握し、操作キー３５ｂから入力をすることができるようになる。よって、ユーザに待ち時間が発生することを低減することができる。また、表示部３６への電力の供給を開始する前に、画像形成部１０等に電力の供給が開始されており、ユーザの入力操作により指示された画像処理を実行できるようにもなっている。
【００６１】
なお、第１省電力モードから待機モードに切り替わる場合、操作キー３５ｂの静電容量式のタッチセンサに電力を供給したり、案内部３５ｃの発光素子に電力を供給したりするまでにかかる時間は、表示部３６の表示が完了するまでにかかる時間と比較して短い。また、第２省電力モードから待機モードに切り替わる場合も同様である。
【００６２】
［ショートカットキー］
ユーザは、第１省電力状態のときに、ショートカットキー番号が割り当てられた操作キー３５ｂを押下することにより、ＮＶＲＡＭ３４に予め登録されているコピー、スキャン、ＦＡＸに関する実行条件を一括して設定することができる。予め登録されている実行条件は、例えば次のようなものである。なお、コピー、スキャン及びＦＡＸは、請求項に記載の「処理機能」の一例である。
【００６３】
コピーであれば、画質、濃度、カラー及び使用する用紙の種類等の実行条件が設定できる。また、スキャンであれば、画質、濃度及びカラー等の実行条件が設定できる。また、ＦＡＸであれば、画質、濃度、カラー及び送信先等の実行条件が設定できる。
【００６４】
第１実施形態ではこれらの実行条件を一括設定情報といい、一括設定情報は複数登録することができる。一括設定情報を複数登録する場合は各一括設定情報に互いに異なるショートカットキー番号を割り当てるものとする。以下、一括設定情報が登録されている操作キー３５ｂをショートカットキーという。
【００６５】
［復帰処理］
続いて、上述した複合機１の制御について説明する。図３は復帰処理の手順を示すフローチャートである。ＣＰＵ３１は、電源キー３５ａのユーザによる押下又は操作キー３５ｂのユーザによる押下等による復帰要因があるか否かを定期的に確認しており、復帰要因があると、復帰処理を開始する。
【００６６】
まず、ＣＰＵ３１は、電源キー３５ａが押下されたことが復帰要因であるか否かを判断し（Ｓ１０１）、電源キー３５ａが押下されたことが復帰要因であると判断した場合（Ｓ１０１：ＹＥＳ）、複合機１が第１省電力モードであるか否かを判断する（Ｓ１０２）。次に、ＣＰＵ３１は、複合機１が第１省電力モードであると判断する場合（Ｓ１０２：ＹＥＳ）、第１省電力モードに対応する第１復帰処理を実行し（Ｓ１０３、請求項に記載の「変更部」の一例）、復帰処理を終了する。なお、第１復帰処理については後述する。
【００６７】
また、ＣＰＵ３１は、電源キー３５ａが押下されたことが復帰要因でないと判断した場合も（Ｓ１０１：ＮＯ）、第１省電力モードに対応する第１復帰処理を実行し（Ｓ１０３）、復帰処理を終了する。複合機１が第２省電力モードの場合は、電源キー３５ａの押下のみ受け付けられる。このため、電源キー３５ａの押下以外が復帰要因である場合はない。
【００６８】
一方、ＣＰＵ３１は、複合機１が第１省電力モードでないと判断する場合（Ｓ１０２：ＮＯ）、第２省電力モードに対応する第２復帰処理を実行し（Ｓ１０４、請求項に記載の「変更部」の一例）、復帰処理を終了する。なお、第２復帰処理については後述する。
【００６９】
［第１復帰処理］
図４は、第1復帰処理の手順を示すフローチャートである。図４を参照しつつ、第1復帰処理について説明する。
【００７０】
まず、ＣＰＵ３１は、ユーザ通知確認処理を実行する（Ｓ２０１）。ここで、ユーザ通知とは、表示部３６を介してユーザに通知する事項をいう。例えば、ＮＶＲＡＭ３４にセキュア印刷ジョブを記憶していることをユーザに通知したり、受信したＦＡＸデータがあることをユーザに通知したりすることが該当する。
【００７１】
［ユーザ通知確認処理］
図５は、ユーザ通知確認処理の手順を示すフローチャートである。図５を参照しつつユーザ通知確認処理について説明する。なお、ユーザ通知確認処理が実行される前に、ユーザ通知フラグはＯＦＦになっている。
【００７２】
まず、ＣＰＵ３１は、ＮＶＲＡＭ３４に印刷ジョブを記憶しているか否かを判断し（Ｓ３０１）、印刷ジョブを記憶していると判断する場合（Ｓ３０１：ＹＥＳ）、ユーザ通知フラグをＯＮし（Ｓ３０２）、ユーザ通知確認処理を終了する。
【００７３】
また、ＣＰＵ３１は、印刷ジョブを記憶していないと判断する場合（Ｓ３０１：ＮＯ）、ＮＶＲＡＭ３４に受信したＦＡＸデータを記憶しているか否かを判断する（Ｓ３０３）。続いて、ＣＰＵ３１は、受信したＦＡＸデータを記憶していると判断する場合（Ｓ３０３：ＹＥＳ）、ユーザ通知フラグをＯＮする（Ｓ３０２）。
【００７４】
一方、ＣＰＵ３１は、受信したＦＡＸデータを記憶していないと判断する場合（Ｓ３０３：ＮＯ）、ユーザ通知を行う必要がないので、ユーザ通知フラグをＯＦＦにしたままユーザ通知確認処理を終了する。
【００７５】
図４に戻り、ＣＰＵ３１は、ユーザに通知する事項があるか否かを判断する（Ｓ２０２）。具体的には、ＣＰＵ３１は、ユーザ通知フラグがＯＮかＯＦＦかを判断しており、ユーザ通知フラグがＯＮの場合にユーザに通知する事項があるという判断をする。
【００７６】
ＣＰＵ３１は、ユーザに通知する事項があると判断する場合（Ｓ２０２：ＹＥＳ）、通知許否判断処理を実行する（Ｓ２０３）。一方、ＣＰＵ３１は、ユーザに通知する事項がないと判断する場合（Ｓ２０２：ＮＯ）、Ｓ２０８に進む。
【００７７】
［通知許否判断処理］
図６は、通知許否判断処理の手順を示すフローチャートである。図６を参照しつつ通知許否判断処理について説明する。なお。通知許否判断処理が実行される前に、通知許可フラグがＯＦＦされている。
【００７８】
まず、ＣＰＵ３１は、ショートカットキーが押下されたか否かを判断し（Ｓ４０１）、ショートカットキーが押下されたと判断する場合（Ｓ４０１：ＹＥＳ）、ショートカットキーがＦＡＸに関連するか否かを判断する（Ｓ４０２）。ＣＰＵ３１は、ショートカットキーがＦＡＸに関連すると判断する場合（Ｓ４０２：ＹＥＳ）、さらにＮＶＲＡＭ３４に受信したＦＡＸデータを記憶しているか否かを判断する（Ｓ４０３）。
【００７９】
次に、ＣＰＵ３１は、ＮＶＲＡＭ３４に受信したＦＡＸデータを記憶していると判断する場合（Ｓ４０３：ＹＥＳ）、ＮＶＲＡＭ３４に記憶されている通知許可フラグをＯＮにし（Ｓ４０４）、通知許否判断処理を終了する。
【００８０】
一方、ＣＰＵ３１は、ショートカットキーが押下されていないと判断する場合（Ｓ４０１：ＮＯ）、ショートカットキーがＦＡＸに関連しないと判断する場合（Ｓ４０２：ＮＯ）、ＮＶＲＡＭ３４に受信したＦＡＸデータを記憶していないと判断する場合（Ｓ４０３：ＮＯ）、ユーザにすぐに通知すべき内容ではないから、通知許可フラグをＯＦＦにしたまま通知許否判断処理を終了する。例えば、ＮＶＲＡＭ３４にセキュア印刷ジョブを記憶している場合が該当する。
【００８１】
図４に戻り、ＣＰＵ３１は、ショートカットキーに対応する機能とユーザに通知する事項に関する機能とが同じであるか否かを判断する（Ｓ２０４）。具体的には、ＣＰＵ３１は、通知許可フラグがＯＮかＯＦＦかを判断しており、通知許可フラグがＯＮの場合に操作キー３５ｂに対応する一括設定情報に関する機能とユーザに通知する事項に関する機能とが同じであるという判断をする。
【００８２】
次に、ＣＰＵ３１は、ショートカットキーに対応する機能とユーザに通知する事項に関する機能とが同じであると判断する場合（Ｓ２０４：ＹＥＳ）、画像読取部４０に通電を開始し（Ｓ２０５）、表示部３６に通電を開始し（Ｓ２０６）、その後操作キー３５ｂ及び案内部３５ｃに通電を開始し（Ｓ２０７）、第１復帰処理を終了する。なお、ＣＰＵ３１は、表示部３６の表示が完了した後、ユーザに通知する事項を表示部３６表示させる。
【００８３】
一方、ＣＰＵ３１は、ショートカットキーに対応する機能とユーザに通知する事項に関する機能とが同じでないと判断する場合（Ｓ２０４：ＮＯ）、通電範囲設定処理を実行する（Ｓ２０８）。なお、ユーザに通知する事項がないとＣＰＵ３１が判断する場合（Ｓ２０２：ＮＯ）も同様である。
【００８４】
［通電範囲決定処理］
図７は、通電範囲設定処理の手順を示すフローチャートである。図７を参照しつつ通電範囲設定処理について説明する。なお、通電範囲とは、操作キー３５ｂ及び案内部３５ｃにおける電力を供給する範囲をいい、全範囲というときには操作キー３５ｂ及び案内部３５ｃの全てが含まれる。
【００８５】
まず、ＣＰＵ３１は、ショートカットキーが押下されたか否かを判断し（Ｓ５０１）、ショートカットキーが押下されたと判断する場合（Ｓ５０１：ＹＥＳ）、ショートカットキーがスキャンに関連するか否かを判断する（Ｓ５０２）。ＣＰＵ３１は、ショートカットキーがスキャンに関連すると判断する場合（Ｓ５０２：ＹＥＳ）、操作キー３５ｂのうちスタートキーを通電範囲に設定し（Ｓ５０３）、通電範囲設定処理を終了する。
【００８６】
一方、ＣＰＵ３１は、ショートカットキーが押下されていないと判断する場合（Ｓ５０１：ＮＯ）、及び、ショートカットキーがスキャンに関連しないと判断する場合（Ｓ５０２：ＮＯ）、操作キー３５ｂ及び案内部３５ｃの全範囲を通電範囲に設定し（Ｓ５０４）、通電範囲設定処理を終了する。
【００８７】
図４に戻り、ＣＰＵ３１は、設定された通電範囲に通電を開始し（Ｓ２０９）、画像形成部１０及び画像読取部４０に通電を開始する（Ｓ２１０）。そして、表示部３６に通電を開始し（Ｓ２１１）、第１復帰処理を終了する。なお、ＣＰＵ３１は、画像処理が終了した後、ユーザに通知する事項を表示部３６に表示させるとよい。
【００８８】
［第２復帰処理］
図８は、第２復帰処理の手順を示すフローチャートである。図８を参照しつつ第２復帰処理について説明する。
【００８９】
まず、ＣＰＵ３１は、ショートカットキーが登録されているか否かを判断し（Ｓ６０１）、ショートカットキーが登録されていると判断する場合（Ｓ６０１：ＹＥＳ）、ショートカットキーに対応する機能を実現する、画像形成部１０、ＦＡＸインターフェース３７及び画像読取部４０のうち少なくとも１つに対して通電を開始する（Ｓ６０２）。例えば、スキャンに関するショートカットキーが登録されている場合には、画像読取部４０に通電が開始される。
【００９０】
続いて、ショートカットキーに対応する機能で使用される可能性のある操作キー３５ｂに対して通電を開始し（Ｓ６０３）、表示部３６に通電を開始して（Ｓ６０４）、第２復帰処理を終了する。例えば、ショートカットキーに対応する機能で使用される可能性のある操作キー３５ｂとは、スキャンの場合にはスタートキーが該当する。
【００９１】
一方、ＣＰＵ３１は、ショートカットキーが登録されていないと判断する場合（Ｓ６０１：ＮＯ）、画像形成部１０、ＦＡＸインターフェース３７及び画像読取部４０に対して通電を開始する（Ｓ６０５）。ユーザが画像形成部１０等のうちいずれを使用するか特定できないからである。
【００９２】
続いて、ＣＰＵ３１は、表示部３６に通電を開始し（Ｓ６０６）、操作キー３５ｂ及び案内部３６に通電を開始し（Ｓ６０７）、第２復帰処理を終了する。ユーザが画像形成部１０等のうちいずれを使用するか特定できないため、ユーザがどの画像処理でも行えるようにするほうが好ましい。
【００９３】
［第１実施形態の効果］
以上詳細に説明したように第１実施形態における複合機１では、ＣＰＵ３１は、設定された通電範囲に通電を開始し（Ｓ２０９）、画像形成部１０及び画像読取部４０に通電を開始し（Ｓ２１０）、そして、表示部３６に通電を開始する（Ｓ２１１）。この構成によれば、表示部３６による表示が完了するまで操作キー３５ｂからの入力が受け付けられないために発生するユーザの待ち時間を低減することができる。
【００９４】
また、ＣＰＵ３１は、ユーザに通知する事項があると判断する場合（Ｓ２０２：ＹＥＳ）、画像読取部４０に通電を開始し（Ｓ２０５）、表示部３６に通電を開始し（Ｓ２０６）、その後操作キー３５ｂ及び案内部３５ｃに通電を開始する（Ｓ２０７）。この構成によれば、ユーザ通知がある場合、第１省電力状態から待機状態になったときにユーザ通知を確認できるようにするほうが、ユーザの利便性に資する。
【００９５】
また、ＣＰＵ３１は、ショートカットキーに対応する機能とユーザに通知する事項に関する機能とが同じでないと判断する場合（Ｓ２０４：ＮＯ）、通電範囲設定処理を実行する（Ｓ２０８）。この構成によれば、使用しているユーザに対して不要な通知事項を通知することを抑制することができる。
【００９６】
また、ＣＰＵ３１は、ショートカットキーが登録されていると判断する場合（Ｓ６０１：ＹＥＳ）、ショートカットキーに対応する機能を実現する、画像形成部１０、ＦＡＸインターフェース３７及び画像読取部４０のうち少なくとも１つに対して通電を開始する（Ｓ６０２）。続いて、ショートカットキーに対応する機能で使用される可能性のある操作キー３５ｂに対して通電を開始し（Ｓ６０３）、表示部３６に通電を開始する（Ｓ６０４）。この構成によれば、ショートカットキーが登録されている場合には、表示部３６の表示が完了する前に、ショートカットキーの使用が可能となり、ユーザの利便性に資する。
【００９７】
ＣＰＵ３１は、複合機１が第１省電力モードであると判断する場合（Ｓ１０２：ＹＥＳ）、第１省電力モードに対応する第１復帰処理を実行する（Ｓ１０３）。一方、ＣＰＵ３１は、複合機１が第１省電力モードでないと判断する場合（Ｓ１０２：ＮＯ）、第２省電力モードに対応する第２復帰処理を実行する（Ｓ１０４）。この構成によれば、どの省電力状態から待機状態になったかによって、操作キー３５ｂのなかで通電が開始されるキーが変わるので、省電力状態から待機状態になる際に、通電を行う操作キー３５ｂが少なくなり、装置の処理負担を軽減することができる。
【００９８】
［第２実施形態］
第２実施形態の第１復帰処理は、第１実施形態の第１復帰処理と異なる。第１実施形態では、復帰要因が電源キー３５ａのユーザによる押下又は操作キー３５ｂのユーザによる押下の場合について説明したが、第２実施形態では、電源キー３５ａのユーザによる押下又は操作キー３５ｂのユーザによる押下以外の場合について説明する。
【００９９】
［第１復帰処理］
図９は、第２実施形態に係る第1復帰処理の手順を示すフローチャートである。図９を参照しながら、第２実施形態に係る第1復帰処理について説明する。
【０１００】
まず、ＣＰＵ３１は、ＵＳＢインターフェース３９にＵＳＢメモリ等の外部記憶装置が接続されたか否かを判断し（Ｓ７０１）、ＵＳＢインターフェース３９にＵＳＢメモリが接続されていないと判断する場合（Ｓ７０１：ＮＯ）、印刷データ又はＦＡＸデータ等の画像データを受信したか否かを判断する（Ｓ７０２）。
【０１０１】
次に、ＣＰＵ３１は、画像データを受信していないと判断する場合（Ｓ７０２：ＮＯ）、ＦＡＸに関連するショートカットキーが押下されたか否かを判断する（Ｓ７０３）。ＣＰＵ３１は、ＦＡＸに関連するショートカットキーが押下されていないと判断する場合（Ｓ７０３：ＮＯ）、画像形成部１０及び画像読取部４０のうち少なくとも１つに対して通電を開始する（Ｓ７０４）。
【０１０２】
続いて、操作キー３５ｂ及び案内部３５ｃに通電を開始し（Ｓ７０５）、表示部３６に通電を開始して（Ｓ７０６）、第１復帰処理を終了する。
【０１０３】
一方、ＣＰＵ３１は、ＵＳＢインターフェース３９にＵＳＢメモリが接続されたと判断する場合（Ｓ７０１：ＹＥＳ）、ＵＳＢメモリに記憶されている画像データを印刷等行うためにユーザがＵＳＢメモリをＵＳＢインターフェース３９に接続した可能性が高いため、先に表示部３６に通電を開始する（Ｓ７０７）。そして、ＵＳＢメモリに記憶されている画像データを印刷等行うために、画像形成部１０に通電を開始し（Ｓ７０８）、操作キー３５ｂ及び案内部３５ｃに通電を開始して（Ｓ７０９）、第１復帰処理を終了する。
【０１０４】
また、ＣＰＵ３１は、画像データを受信していると判断する場合（Ｓ７０２：ＹＥＳ）、受信した画像データの内容をユーザに通知する必要があるから、先に表示部３６に通電を開始する（Ｓ７０７）。そして、受信した画像データを印刷するために、画像形成部１０に通電を開始し（Ｓ７０８）、操作キー３５ｂ及び案内部３５ｃに通電を開始して（Ｓ７０９）、第１復帰処理を終了する。
【０１０５】
また、ＣＰＵ３１は、ＦＡＸに関連するショートカットキーが押下されたと判断する場合（Ｓ７０３：ＹＥＳ）、送信先を間違えないようユーザに送信先を確認させるために、先に表示部３６に通電を開始する（Ｓ７１０）。そして、ユーザが確認した送信先にＦＡＸデータを送信するために、画像読取部４０に通電を開始し（Ｓ７１１）、操作キー３５ｂ及び案内部３５ｃに通電を開始して（Ｓ７１２）、第１復帰処理を終了する。
【０１０６】
［第２実施形態の効果］
以上詳細に説明したように第２実施形態における複合機１では、ＣＰＵ３１は、ＦＡＸに関連するショートカットキーが押下されたと判断する場合（Ｓ７０３：ＹＥＳ）、先に表示部３６に通電を開始する（Ｓ７１０）。続いて、画像読取部４０に対して通電を開始し（Ｓ７１１）、操作キー３５ｂ及び案内部３５ｃに通電を開始する（Ｓ７１２）。この構成によれば、誤入力した場合でも早い段階で誤入力に気づきやすくなるため、ユーザの利便性に資する。
【０１０７】
また、ＣＰＵ３１は、ＵＳＢインターフェース３９にＵＳＢメモリが接続されたと判断する場合（Ｓ７０１：ＹＥＳ）、先に表示部３６に通電を開始する（Ｓ７０７）。続いて、画像形成部１０に対して通電を開始し（Ｓ７０８）、操作キー３５ｂ及び案内部３５ｃに通電を開始する（Ｓ７０９）。この構成によれば、ＵＳＢメモリ内にあるデータをユーザに確認させるために入力より先に表示させるので、ユーザの利便性に資する。
【０１０８】
［変形例］
なお、本実施形態は単なる例示にすぎず、本発明を何ら限定するものではない。したがって本発明は当然に、その要旨を逸脱しない範囲内で種々の改良、変形が可能である。例えば、複合機は、操作部と表示部とを備えるものであればよく、印刷装置、ＦＡＸ装置、読取装置又は複写機であっても適用可能である。
【０１０９】
表示部３６は、液晶ディスプレイ等の表示装置と、表示装置を駆動するディスプレイ回路と、表示装置の表示部を覆う透明なタッチパネル等を備えていたが、これに限るものではない。例えば、タッチパネルを備えていない、液晶ディスプレイ等の表示装置と、表示装置を駆動するディスプレイ回路とを備えていてもよい。
【０１１０】
記憶装置としてＮＶＲＡＭ３４を備えていたがこれに限るものではない。例えば、不揮発性のフラッシュメモリ又はＨＤＤ等であってもよい。
【０１１１】
また、外部記憶装置の一例としてＵＳＢメモリを例に説明したが、これに限るものではない。例えば、ＳＤカード、フラッシュメモリ等であってもよい。
【０１１２】
また、第１復帰処理では、ユーザ通知確認処理（Ｓ２０１）と通知拒否判断処理（Ｓ２０３）とが共に実行される実施形態であったが、これに限られるものではない。例えば、第１復帰処理は、ユーザ通知確認処理（Ｓ２０１）と通知拒否判断処理（Ｓ２０３）とのどちらか一方を実行するようにしてもよい。
【０１１３】
また、ユーザ通知確認処理では、ＣＰＵ３１は、印刷ジョブを記憶しているか否かの判断と（Ｓ３０１）、受信したＦＡＸデータを記憶しているか否かの判断と（Ｓ３０３）をしていたが、これに限られるものではない。例えば、印刷ジョブを記憶しているか否かの判断と（Ｓ３０１）、受信したＦＡＸデータを記憶しているか否かの判断と（Ｓ３０３）の少なくとも一方をするようにしてもよい。
【０１１４】
また、第２実施形態における第１復帰処理では、Ｓ７０１〜Ｓ７０３の３つに該当するか否かを判断していたが、これに限られるものではない。例えば、Ｓ７０１〜Ｓ７０３の少なくとも１つに該当するか否かを判断してもよい。
【０１１５】
また、第２実施形態における第１復帰処理では、Ｓ７０１〜Ｓ７０３に該当するか否かを判断していたが、これに限られるものではない。例えば、表示部３６にあるタッチパネルにユーザが触れたと判断する場合、ユーザは表示部を使用して複合機１に対して操作を行う可能性が高いため、先に表示部３６に通電を開始するようにしてもよい。なお、この変形例の場合、複合機１は第１省電力状態にあり、表示装置は非電力供給状態にあるがタッチパネルは電力供給状態にある。
【符号の説明】
【０１１６】
１    複合機
１０    画像形成部
３０    制御部
３１    ＣＰＵ
３２    ＲＯＭ
３４    ＮＶＲＡＭ
３５ａ    電源キー
３５ｂ    操作キー
３５ｃ    案内部
３７    ＦＡＸインターフェース
３８    ネットワークインターフェース
３９    ＵＳＢインターフェース
４０    画像読取部
【図１】
2013207629.tif 000003
【図２】
2013207629.tif 000004
【図３】
2013207629.tif 000005
【図４】
2013207629.tif 000006
【図５】
2013207629.tif 000007
【図６】
2013207629.tif 000008
【図７】
2013207629.tif 000009
【図８】
2013207629.tif 000010
【図９】
2013207629.tif 000011